(57)【特許請求の範囲】
【請求項１】
空冷式油クーラを有するパッケージ形油冷式圧縮機において、空気流出可能に配置されたシロッコファンと、上記シロッコファンより流出した空気を、上記シロッコファンの直後に設けた該シロッコファンの送風口に対向する壁面に直接当てて、上記壁面に沿った方向に方向転換させ、流路を拡大し、上記壁面と直交するように配置した上記空冷式油クーラに導く冷却空気流路とを備え、上記冷却空気流路の内壁面に吸音材を張設したことを特徴とするパッケージ形油冷式圧縮機。
【発明の詳細な説明】
【０００１】
【発明の属する技術分野】
本発明は、装置を構成する機器がパッケージ内に収容されたパッケージ形油冷式圧縮機に関するものである。
【０００２】
【従来の技術】
従来、図３および４に示すパッケージ形油冷式圧縮機４０が公知である（特開平10-176668号公報）。このパッケージ形油冷式圧縮機４０では、パッケージ４１の内部が仕切板４２により第１室４３と第２室４４とに分割され、パッケージ４１には、第１室４３の内外を連通させる第１空気流入口４５、第１空気流出口４６と、第２室４４の内外を連通させる第２空気流入口４７、第２空気流出口４８とが設けられている。また、第１室４３には、圧縮機本体４９と、圧縮機本体４９を駆動する冷却ファン付きモータ５１と、圧縮機本体４９から油を随伴して吐出された圧縮空気から上記油を分離回収する油分離回収器５２とが収容され、第２室４４には、モータ５１の出力軸５３が仕切板４２を貫いて突出しており、その先端に両吸込み形シロッコファン５４が設けられている。さらに、第２室４４の上部における第２空気流出口４８の下方には、油分離回収器５２からの油を冷却するための空冷式油クーラ５５と、油分離回収器５２で油分離され、送り出された圧縮空気を冷却する空冷式アフタークーラ５６とが設けられ、シロッコファン５４、油クーラ５５およびアフタークーラ５６はダクト５７内に収容されている。
【０００３】
そして、第１空気流入口４５から流入した空気が圧縮機本体４９に吸込まれ、油分離回収器５２から延びる図示しない油供給流路から油注入を受けつつ圧縮され、上述したように、油を随伴して油分離回収器５２へと吐出される。この油と圧縮空気とは油分離回収器５２で分離され、油は一旦溜められた後、上記油供給流路を経て圧縮機本体４９内の空気圧縮空間、軸受・軸封部等の給油箇所に導かれ、圧縮空気はアフタークーラ５６へ向けて送り出される。
【０００４】
一方、第１空気流入口４５から流入した空気は、圧縮機本体４９用の冷却ファンを経て流れ、第１室４３内の各機器の各部を冷却して、第１空気流出口４６から出てゆく。また、第２空気流入口４７から流入した空気は、シロッコファン５４を経て、上方に向かい、油クーラ５５およびアフタークーラ５６を通過し、これらを冷却した後、第２空気流出口４８から出てゆく。このように、このパッケージ形油冷式圧縮機４０では、シロッコファン５４から出たところで、ここから送り出された空気の流れをダクト５７により上向きにするように形成されている。
【０００５】
これに対して、図５に示すように、並列配置された空冷式アフタークーラ６１と空冷式油クーラ６２の下方に軸流ファン６３を配置し、これによりアフタークーラ６１と油クーラ６２の冷却をするようにした装置が公知である。
【０００６】
【発明が解決しようとする課題】
上述したパッケージ形油冷式圧縮機４０の場合、シロッコファン５４と油クーラ５５およびアフタークーラ５６との間の距離が小さいと油クーラ５５およびアフタークーラ５６に冷却空気を一様に分散させて均一に導くのが難しく、この冷却空気を均一に導こうとすれば大きなスペースを要するという問題がある。これを図６および７を参照しつつ具体的に説明する。なお、図６および７において、７１はシロッコファン、７２はダクト、７３はクーラ、７４は整流板を示している。図６に示すように、シロッコファン７１とクーラ７３との間の距離を小さくするとシロッコファン７１からの冷却空気の流出部の両側の、この流出部から離れた部分に冷却が十分になされないデッドスペースＩが発生し、全体として、クーラ７３の空気熱交換効率が悪くなる。これに対して、冷却空気を均一に送るようにすると、図７に示すように、ダクト７２の長さＬを大きくする必要があり、ダクト７２自体が大きくなる。
【０００７】
また、軸流ファン６３を用いた装置の場合、軸流ファン６３により発生する静圧が低く、空冷部での圧力損失を小さくする必要があるため、空冷部の軸流ファン６３に対向する面を広くしなければならず、かつ軸流ファン６３の空気流入側および流出側に騒音低減のための消音装置も静圧発生を阻害する故取付けることができないという問題がある。
本発明は、斯る従来の問題点をなくすことを課題としてなされたもので、大きなスペースを要することなく、空冷式油クーラの空気熱交換効率を良くし、騒音低減も可能としたパッケージ形油冷式圧縮機を提供しようとするものである。
【０００８】
【課題を解決するための手段】
上記課題を解決するために、本発明は、空冷式油クーラを有するパッケージ形油冷式圧縮機において、空気流出可能に配置されたシロッコファンと、上記シロッコファンより流出した空気を、上記シロッコファンの直後に設けた該シロッコファンの送風口に対向する壁面に直接当てて、上記壁面に沿った方向に方向転換させ、流路を拡大し、上記壁面と直交するように配置した上記空冷式油クーラに導く冷却空気流路とを備え、上記冷却空気流路の内壁面に吸音材を張設した構成とした。
【００１０】
【発明の実施の形態】
次に、本発明の実施形態を図面にしたがって説明する。
図１および２は、本発明に係るパッケージ形油冷式圧縮機１を示し、パッケージ１１内は、仕切り壁１２により二つの第１空間部１３と第２空間部１４とに分割されている。第１空間部１３には、モータ１５により駆動される圧縮機本体１６、例えばスクリュ式圧縮機本体、この圧縮機本体１６の吸込み部に設けられた吸込みフィルタ１７、圧縮機本体１６の吐出側に設けられた油分離回収器１８、この油分離回収器１８にて油分離された圧縮空気が送り出される圧縮空気流路１９、および油分離回収器１８にて圧縮空気から分離された油を圧縮機本体１６に送り出す油供給流路２１が配置されている。また、圧縮空気流路１９には保圧弁２２が介設され、圧縮空気流路１９はこの保圧弁２２を介して、外部の圧縮空気使用箇所に延び、油供給流路２１は三方弁２３にて二つの流路に分岐している。
【００１１】
一方、第２空間部１４はパッケージ１１の上面に形成された空気流出口２４により外部に連通し、第２空間部１４における空気流出口２４の下方に空冷式油クーラ２５が配置されるとともに、その下方にモータ２６により駆動されるシロッコファン２７が配置されている。そして、三方弁２３にて分岐した二つの流路の内の一方がこの油クーラ２５の入口部に接続し、油クーラ２５の出口部から延びる油供給流路２１の下流側部分が第１空間部１３内の油フィルタ２８を経て、圧縮機本体１６内の空気圧縮空間、軸受・軸封部等の油供給部に至っている。また、三方弁２３にて分岐した二つの流路の内の他方は、油クーラ２５を経ないで、直接油供給流路２１の下流側部分に合流している。
なお、図１において※印同士は直結し、＊印同士も直結することを示している。
【００１２】
そして、油分離回収器１８からの油の温度が高い場合は、油クーラ２５側に流れる油の比率が大きくなり、逆に油の温度が低い場合は上記比率が小さくなるように三方弁２３の流路切換えが行われる。
油クーラ２５は、シロッコファン２７から送風されており、これにより油クーラ２５を通過する油が冷却される。また、このパッケージ形油冷式圧縮機１の場合、図２に示すように、シロッコファン２７から空気が横方向に流出し、シロッコファン２７の送風口２９に対向して設けられた縦壁面３１に当って、縦壁面３１に沿った方向に、即ちここでは上向きに方向転換して油クーラ２５に導かれるように冷却空気流路３２が形成されている。ここでは、その方向転換は略直角であるので、冷却空気流路３２はいわば直角曲がりを有する構造ともいえる。
【００１３】
このように、冷却空気が送風口２９に対向して設けられた壁面に当ってその壁面に沿った方向に方向転換させられることにより、この冷却空気が広く一様に分散し、油クーラ２５の広い範囲にわたって均一な流速で送られるようになる。
また、冷却空気流路３２の内面には、吸音材３３が張設されている。つまり、上記のとおり、冷却空気通路３２がいわば直角曲がりを有する構造であり、尚且つ、その内面に吸音材３３が張設されていることから、広い周波数帯において効率的な消音ダクトとして作用し、外部に漏れる騒音が抑制されている。
【００１４】
【発明の効果】
以上の説明より明らかなように、本発明によれば、空冷式油クーラを有するパッケージ形油冷式圧縮機において、空気流出可能に配置されたシロッコファンと、上記シロッコファンより流出した空気を、上記シロッコファンの直後に設けた該シロッコファンの送風口に対向する壁面に直接当てて、上記壁面に沿った方向に方向転換させ、流路を拡大し、上記壁面と直交するように配置した上記空冷式油クーラに導く冷却空気流路とを備えた構成としてある。
【００１５】
このため、大きなスペースを要することなく、冷却空気が冷却空気流路に広く一様に分散し、油クーラの広い範囲にわたって均一な流速で送られるようになり、この結果、油クーラの全面を効率良く使えて、良好な効率で空気熱交換が行われ、油クーラの小形化が可能になり、装置全体の小形化が可能になる等の効果を奏する。
【００１６】
また、本発明によれば、上記冷却空気流路の内壁面に吸音材を張設した構成としてある。
このため、上記の効果に加えて、冷却空気流路がシロッコファンより流出した空気を例えば直角に方向転換させて空冷式油クーラに導く構造であることと、その内面に吸音材が張設されていることから、広い周波数帯において効率的な消音ダクトとして作用するので、シロッコファンおよびここからの空気による騒音がその冷却空気流路にて吸音され、外部に漏れる騒音を低減させることが可能になる等の効果を奏する。
【図面の簡単な説明】
【図１】  本発明に係るパッケージ形油冷式圧縮機の全体構成の概略を示す図である。
【図２】  図１のII−II線断面図である。
【図３】  従来のパッケージ形油冷式圧縮機の断面図である。
【図４】  図３に示すパッケージ形油冷式圧縮機におけるシロッコファンおよびダクトの部分を示す図である。
【図５】  従来の軸流ファンを用いた空冷部を示す図である。
【図６】  図４に関連して、ダクトが短い場合の例を示す図である。
【図７】  図４に関連して、ダクトが長い場合の例を示す図である。
【符号の説明】
１  パッケージ形油冷式圧縮機  １１  パッケージ
１２  仕切り壁                １３  第１空間部
１４  第２空間部              １５  モータ
１６  圧縮機本体              １７  吸込みフィルタ
１８  油分離回収器            １９  圧縮空気流路
２１  油供給流路              ２２  保圧弁
２３  三方弁                  ２４  空気流出口
２５  空冷式油クーラ          ２６  モータ
２７  シロッコファン          ２８  油フィルタ
２９  送風口                  ３１  縦壁面
３２  冷却空気流路            ３３  吸音材
【図１】
0003773443.tif 000002
【図２】
0003773443.tif 000003
【図３】
0003773443.tif 000004
【図４】
0003773443.tif 000005
【図５】
0003773443.tif 000006
【図６】
0003773443.tif 000007
【図７】
0003773443.tif 000008